(57)【特許請求の範囲】
【請求項１】
遊技領域が形成された遊技盤と、前記遊技盤の中央部に配設された可変表示装置と、前記可変表示装置を囲むように設置されたセンター役物と、前記センター役物の下方に設置された始動入賞口と、を備えた弾球遊技機において、
前記センター役物は、嵌合枠を有する裏部材と、内面形状が前記嵌合枠と整合する形状の支持枠が設けられたベース板を有する本体部と、から構成され、
前記嵌合枠の下部にはステージが形成され、
前記遊技盤の正面側から前記支持枠を前記遊技盤に嵌合させ、前記遊技盤の裏面側から前記嵌合枠を前記支持枠の内側に嵌合させることで、前記ベース板と前記裏部材とが接合されて前記遊技盤に取り付けられ、
前記本体部上部には、誘導樋球受口領域幅を形成する１対の天入球口が設けられ、
前記裏部材には、前記１対の天入球口に連通する１対のワープ通路と、前記１対のワープ通路に連通して前記ステージの左右端上方に開口する１対の球出口と、が設けられ、
前記本体部の外形寸法は、前記本体部の左側方及び右側方の遊技領域であるセンター役物左右球通過領域への入球口の配置が制約される程度に大型に設定されると共に、前記センター役物の上方には、複数の障害釘からなる案内部が形成され、
前記案内部は、その内部に、前記誘導樋球受口領域の上部を囲う山形に形成された流出規制部を有すると共に、前記流出規制部において遊技球が通過可能な釘の隙間として形成される一対の導入口を有し、前記誘導樋球受口領域の幅内を流下する遊技球を前記導入口から導入しつつ、前記流出規制部から前記センター役物左右球通過領域への遊技球の流出を規制し、前記誘導樋球受口領域の幅内の前記遊技領域に発射された遊技球を前記天入球口に入球し易くする
ことを特徴とする弾球遊技機。
【発明の詳細な説明】
【０００１】
【発明の属する技術分野】
本発明は、弾球遊技機に関する。
【０００２】
【従来の技術】
パチンコ機に代表される弾球遊技機には、液晶表示盤やブラウン管等の電気的な表示手段やドラムやベルト等の機械的な表示手段を用いて、当たり外れの表示を行う可変表示装置を備えるものがある。そして、通常は、上方から落下してくる遊技球が可変表示装置の表示面を通過するのを防止するために、表示面の上辺に沿って遊技盤から突出させた庇部を含む枠状の本体部を有するセンター役物が設けられている。また、普通、センター役物には、上方あるいは側方から流入した遊技球を、表示面の下辺に沿って配されるステージ上に導く通路（ワープ通路）や、デジタル表示器、ランプ等も設けられていた。
【０００３】
【発明が解決しようとする課題】
ところで、可変表示装置の表示面のサイズは、液晶表示盤の場合４インチ〜６インチが普通で、ＣＲＴ等の他の表示手段を用いる場合もほぼ同程度であった。
しかし、このようなサイズであると、複雑な画像の場合には表示を見にくくなるという欠点があり、そのような見ずらさの解消や趣向性の向上などを目的として大型の可変表示装置（例えば１０インチサイズ）を採用することが考えられる。すると、可変表示装置のサイズ範囲が、４〜１０インチと多様化し、それに合わせてセンター役物のサイズも多様化することが必要となる。また、可変表示装置のサイズ範囲を現状程度（４〜６インチサイズ）としても、それに合わせたサイズのセンター役物が要求される。
【０００４】
つまり、可変表示装置に応じて、多様なセンター役物が必要とされるのであるが、センター役物を変更すると、それに応じて遊技盤上の他の部品の配置（例えば入賞口、風車、障害釘等の配置）も変更する必要があり、製造工程の複雑化、設計業務の煩雑化、コストアップ等の不都合が生じるおそれがあった。
【０００５】
本発明は、こうした不都合を回避することを目的としている。
【０００６】
【課題を解決するための手段および発明の効果】
上記課題を解決するための請求項１記載の弾球遊技機は、
遊技領域が形成された遊技盤と、前記遊技盤の中央部に配設された可変表示装置と、前記可変表示装置を囲むように設置されたセンター役物と、前記センター役物の下方に設置された始動入賞口と、を備えた弾球遊技機において、
前記センター役物は、嵌合枠を有する裏部材と、内面形状が前記嵌合枠と整合する形状の支持枠が設けられたベース板を有する本体部と、から構成され、
前記嵌合枠の下部にはステージが形成され、
前記遊技盤の正面側から前記支持枠を前記遊技盤に嵌合させ、前記遊技盤の裏面側から前記嵌合枠を前記支持枠の内側に嵌合させることで、前記ベース板と前記裏部材とが接合されて前記遊技盤に取り付けられ、
前記本体部上部には、誘導樋球受口領域幅を形成する１対の天入球口が設けられ、
前記裏部材には、前記１対の天入球口に連通する１対のワープ通路と、前記１対のワープ通路に連通して前記ステージの左右端上方に開口する１対の球出口と、が設けられ、
前記本体部の外形寸法は、前記本体部の左側方及び右側方の遊技領域であるセンター役物左右球通過領域への入球口の配置が制約される程度に大型に設定されると共に、前記センター役物の上方には、複数の障害釘からなる案内部が形成され、
前記案内部は、その内部に、前記誘導樋球受口領域の上部を囲う山形に形成された流出規制部を有すると共に、前記流出規制部において遊技球が通過可能な釘の隙間として形成される一対の導入口を有し、前記誘導樋球受口領域の幅内を流下する遊技球を前記導入口から導入しつつ、前記流出規制部から前記センター役物左右球通過領域への遊技球の流出を規制し、前記誘導樋球受口領域の幅内の前記遊技領域に発射された遊技球を前記天入球口に入球し易くする
ことを特徴とする。
【０００７】
請求項１記載の弾球遊技機は、前記センター役物は、嵌合枠を有する裏部材と、内面形状が前記嵌合枠と整合する形状の支持枠が設けられたベース板を有する本体部と、から構成され、前記嵌合枠の下部にはステージが形成され、前記遊技盤の正面側から前記支持枠を前記遊技盤に嵌合させ、前記遊技盤の裏面側から前記嵌合枠を前記支持枠の内側に嵌合させることで、前記ベース板と前記裏部材とが接合されて前記遊技盤に取り付けられるので、可変表示装置を変更する際には、それに応じて裏部材を変更すればよく、本体部は変更する必要がない。よって、センター役物の本体部の変更に伴う、入賞口、風車、障害釘等の配置の変更も必要とせず、製造工程の複雑化、設計業務の煩雑化、コストアップ等の不都合が生じることはない。
【００１１】
【発明の実施の形態】
次に、本発明のいくつかの実施例を図面を参照して説明することにより、発明の実施の形態を具体的に説明する。
【００１２】
【実施例１】
図１に示すように、本実施例の弾球遊技機としてのパチンコ機Ａ１は、遊技盤１２の中央部に１０インチの液晶表示盤５ａが配設され、これを囲むようにセンター役物１４が設置されて可変表示装置５を形成し、その下方には、始動入賞口１６および大入賞口１８を有する下部入賞装置２０や普通入賞口２２ａ〜２２ｄ等が配されている。
【００１３】
詳しくは、遊技盤１２には発射された打球を誘導するための誘導レール３（図２参照）がほぼ円弧状に植立され、この誘導レール３で区画された領域が遊技領域４（図４参照）を構成している。この遊技領域４は、第１レール部材３ａ、第２レール部材３ｂ、返しゴム３ｃ及び装飾部材３ｄ（図２参照）により区画されている領域である。遊技領域４の左半面に在る第１レール部材３ａと第２レール部材３ｂの間隙を通過して遊技領域４へ遊技球が誘導される。装飾部材３ｄの左側先頭部分には返しゴム３ｃ（図２参照）が装着され、遊技球が遊技領域４の中央部へ反射されるようになっている。本実施例では、第１レール部材３ａが返しゴム３ｃに到達し、装飾部材３ｄが第２レール部材３ｂに組合されることにより遊技領域４を設定している。遊技領域４を設定する態様はこれ以外にも様々な構造のものが挙げられるが説明は省略する。また、図２に示されるように、第２レール部材３ｂの最下点にはアウト口１５が形成され、左上端部に逆流防止装置３ｅが設けられている。
【００１４】
可変表示装置５は、図２に示す通り、遊技領域４のほぼ中央に配置され、外形寸法がその左側方及び右側方の遊技領域４の領域への入球口の配置を制約する程度に大型に設定されている。可変表示装置５の上方の遊技領域４への入球口の配置は可能であるものの、図１〜図１２の例においては、遊技球の移動の障害となるため、一般的には入球口は設けていない。この可変表示装置５は、１０インチサイズの液晶表示盤５ａ（特別図柄を表示することから特別図柄表示装置と呼ばれることもある）と、この液晶表示盤５ａの周囲に配置されたセンター役物１４（図６〜図１２参照）、表示制御基板（図示略）等を含み構成されたものであり、横長形状となっている。
【００１５】
センター役物１４の外周形状は、横長の略小判形状ないし略楕円形状（最大高さと最大横幅の比である縦横比が、概ね１．１ないし１．７、好ましくは概ね１．３ないし１．７、特に好ましくは概ね１．３ないし１．４）に形成されている。センター役物１４の外形寸法は、遊技球の流通条件によっては適宜変更される場合もあり得る。液晶表示盤５ａを大型ＣＲＴ、ＬＥＤ等の他の表示体に置換えたり、可変表示装置５をクルーン等の大型役物（図示略）に置換えたりすることが可能である。
【００１６】
可変表示装置５下方の中央部には、開閉駆動可能な始動入賞口１６が設けられ、その下側に大入賞口１８が設けられている。この始動入賞口１６に遊技球が受け入れられると、液晶表示盤５ａに表示される図柄が変動を開始し、これが特定の表示態様、例えば７７７のように３桁同一の数字で停止表示されると、特別遊技状態となり大入賞口１８が所定回数（例えば１６回）を超えない範囲で開閉される構成である。
【００１７】
また、大入賞口１８の左右に普通入賞口２２ａ、２２ｂ、２２ｃ、２２ｄが集約的に設けられ、始動入賞口１６及び大入賞口１８とともに入球口群Ｎを構成している。この入球口群Ｎを配置可能な領域は、センター役物１４の下端より下部であり、遊技領域４の高さＬの概ね３分の１の高さである（図３では２７％である）。また、本実施例においては、可変表示装置５にセンター役物１４を含んで構成されているが、必ずしもセンター役物１４が含まれているとは限らない。さらに始動入賞口１６、普通入球口２２ａ、２２ｂ、２２ｃ、２２ｄ、大入賞口１８にはそれぞれ入球検出センサ７、８、９、１０、１１、１７（図２参照）が設けられ、遊技球が入球するとオンするようになっている。ここで、入球口群Ｎを構成する入賞口１６、１８、２２ａ〜２２ｄは、賞球払出しの契機として用いられている。また、大入賞口１８は開放時のみに入球を可能にする。
【００１８】
遊技盤１２の前面は、前面枠１に開閉自在に軸支されたガラス枠６に保持されているガラス板にて覆われている。遊技盤１２のすぐ下側には、ヒンジ（図示略）により開閉可能な上受け皿７００と開閉不可能な下受け皿７１０とが位置しており、両皿７００，７１０は前面枠１に装着されている。上受け皿７００の左下側には遊技状態に応じた効果音を発生させるスピーカ７３０が設けられている。また、下受け皿７１０の右側には、発射ハンドル７４０が設けられ、これが上受け皿７００から供給される遊技球を遊技領域４に対して弾発する発射装置（図示略）と接続されている。
【００１９】
前述した１０インチの大型の液晶画面を有する液晶表示盤５ａ及びセンター役物１４を遊技盤１２に搭載した場合、例えば、６インチ画面を採用した場合に比べて、可変表示装置５の周囲に残される部分の遊技領域４の領域の面積は減少することとなる。
【００２０】
すなわち、図２に示す通り、可変表示装置５のセンター役物１４左右の遊技領域４の領域の幅であるセンター役物左右球通過領域Ｊの幅はＷ1 ＝３３ｍｍ（以下、センター役物左右球通過領域幅Ｗ1 という）程度であり、また、センター役物１４上部の遊技領域４の誘導樋球受口領域高さＨ1 ＝７０ｍｍ程度となっている。
【００２１】
例えば仮に入球口を可変表示装置５の左右、例えばセンター役物左右球通過領域Ｊ付近に配置するとした場合、通常、単品の入球口は球受部の幅が２０ｍｍ程度、取付ベースを含めると入球口の全幅は４０ｍｍ程度となり、入球口の設置が困難となっている。そのため、入球口を遊技盤１２の裏面側から装着し、遊技盤１２の前面側に入球口の球受部のみを突出させたとしても、球受部の幅は２０ｍｍ程度であるから、残りのスペースは１３ｍｍ程度となり、結局、障害釘や入球口の配置は可能ではあるものの遊技球を流下させることは難しい。
【００２２】
また、可変表示装置５の上方の遊技領域４へは入球口の設置は可能ではあるものの、この入球口に入球した遊技球を遊技盤１２の裏側で下方に導く樋を可変表示装置５の裏部品（液晶表示盤５ａのケースや表示制御基板など）を避けて配置しなければならず、設置は可能であるものの構造上好ましくないことがある。また、可変表示装置５は、遊技領域４の下方に普通入賞口や大入賞口等の配置の自由度を確保するためには、できる限り遊技領域４の上方に配置するのが好ましく、可変表示装置５を更に上方に配置すれば遊技領域４の下方の有効スペースは拡大されるが、上方には入球口は配置できなくなる関係が成立している。したがって、こうした関係を考慮した設計が望ましい。
【００２３】
さらに、図２においてセンター役物１４の上方には複数の障害（障害釘等）からなる案内部７５０（図１１及び図１２参照）が配置されており、誘導樋球受口領域幅Ｗ2 の横幅内に落下してきた遊技球は天入球口３８，３８（図６、図１１、図１２参照）に入球し易くなるように構成されている。そして天入球口３８，３８に入球した遊技球は、ワープ通路４４、４４を経てステージ４６上に流下され、始動入賞口１６（図１参照）の上方に集められるので、始動入賞口１６に入球する可能性が高くなる。
【００２４】
ところで、従来の弾球遊技機（図示略）では、遊技球が始動入賞口（図示略）に入球し易い位置に発射させるために、遊技者が発射装置（図示略）の発射力を調整して発射させているが、発射装置（図示略）の発射力が一定となるように調整（固定）させたとしても発射力のバラツキによって調整に反した発射力になるおそれがある。そのため、場合によっては遊技者の意に反して始動入賞口（図示略）に入球する可能性が極めて低い位置に遊技球（図示略）が発射され、遊技者に不利益をなすおそれがある。
【００２５】
これに対し、本実施例のパチンコ機Ａ１では、比較的に幅の広い誘導樋球受口領域幅Ｗ2 の幅内の遊技領域４に遊技球が発射されれば、前述した通り遊技球が天入球口３８，３８に集められるので、遊技球が天入球口３８，３８に入球し易くなり、結果として始動入賞口１６に入球する可能性が高まる。したがって、発射装置（図示略）の発射力のバラツキや遊技者の技量等が、遊技球の始動入賞口１６への入球に影響を与える可能性は極めて低くなるという優れた効果を有する。
【００２６】
遊技盤１２の寸法関係を説明する。遊技領域４の面積計測（ＣＡＤ上にて）を行うと約１２３,９８８ｍｍ2 となる。遊技領域４の縦寸法（Ｌ=３９６ｍｍ）を直径とする真円の面積が約１２３，１６３ｍｍ2 であり、面積計測の結果にほぼ等しくなるため、本実施例では遊技領域の面積を直径Ｌの真円で近似して算出している。この採寸法Ｌは遊技領域４の最下点から最上点までの垂直距離とする。また、本実施例における各部材の面積は以下の通りである。
【００２７】
センター役物１４（１０インチ用） 約５８，４６３ｍｍ2
センター役物１４（８インチ用）  約３７，４１６ｍｍ2
液晶表示盤５ａの１０インチ画面 約３０，４２６ｍｍ2
なお、８インチ用のセンター役物（図示略）の面積は、単純に本実施例の図示されているセンター役物１４の縮尺を０．８倍（面積比０．６４）して算出している。しかし、ワープ通路４４、４４の各部の概ねの寸法は遊技球の直径や樋壁の板厚に基づいて自ずと決定され、８インチの表示体を採用しても、遊技球が通過できる寸法を確保しなければならないため、センター役物の各樋の縦横寸法や樋を覆う装飾品等の外形寸法は１０インチの場合と大きくは変わらないと考えられる。したがって、実際に８インチの表示体を用いる場合のセンター役物の実際の面積は、前掲の８インチ用センター役物の算出値よりも実際には大きくなると考えられる。
【００２８】
以上のことから、１０インチの液晶表示盤５ａとセンター役物１４（１０インチ用）を採択した可変表示装置５の場合、そのときの遊技領域４に対する可変表示装置５の面積の割合は、４７％となる。また、８インチの液晶表示盤５ａをセンター役物１４（８インチ用）を用いて採択した可変表示装置５の場合、そのときの遊技領域４に対する可変表示装置５の面積の割合は、３０％となる。１０インチの液晶表示盤５ａをセンター役物１４を用いず単独で採択した場合に可変表示装置５の面積は、液晶表示盤５ａの面積と等しくなり、そのときの遊技領域４に対する可変表示装置５の面積の割合は、２５％（約４：１）、かつ、可変表示装置５の面積が最小面積となる。以上の通り、可変表示装置５は、遊技領域４の表面積の概ね２５％（４分の１）以上、好ましくは概ね３０％以上、特に好ましくは概ね４７％以上を占めることを特徴とする。
【００２９】
８インチ表示体を単体で用いる場合の面積の割合は約１６％となり、入球口設置の際の制約が緩やかになると考えられる。なお、ここでの面積は投影面積を意味する。
遊技領域４の遊技領域中央横線Ｙ1 は、本実施例では、液晶表示盤５ａの中央横線Ｙ2 とほぼ一致している（図３参照）。入球口群Ｎは遊技領域中央横線Ｙ1 よりも下方の領域に可変表示装置５を避けて集約的に配置されている。すなわち、入球口群Ｎの配置される領域の高さは、遊技領域４の最下部からセンター役物１４の下端部までの高さとし、配置される領域の左右は一杯までとする。なお、センター役物１４のステージ４６に入球口を別途増設することもある。
【００３０】
なお、本実施例は１０インチ画面の液晶表示盤５ａとこれに適合するセンター役物１４を用いた場合であるが、１０インチ画面よりも小型の表示体を用いた場合などには、可変表示装置５が占める面積が減少し、可変表示装置５の左右、或いは上部の余地は増加する。例えば、一般に多く採用されているサイズ（４〜６インチ）よりも若干大型な８インチ程度の表示体を用い、本実施例のセンター役物１４をそれに合わせて単に小型化した場合には、センター役物左右球通過領域幅Ｗ1（遊技球が流下可能な領域）の幅寸法は、図３の画面幅寸法の差に基づいて算出すると、（Ｗ15−Ｗ16）／２＝（２０７．４−１６５．９）／２＝２０．７５ｍｍと計算され、左右各々に約２０ｍｍ増加する。
【００３１】
本実施例における１０インチ画面サイズの可変表示装置５のセンター役物左右球通過領域幅Ｗ1 が約３３ｍｍであるので、画面サイズを８インチとした場合には、左右の領域のそれぞれの幅寸法は約５３ｍｍ（＝３３＋２０）となる。この領域に単品の入球口（図示略：例えば幅寸法が約２０ｍｍの小型のもの）を配置した場合には入球口（図示略）の両側に約１６．５ｍｍ（＝（５３−２０）／２）の余地を確保できるが、遊技球の直径が１ｌｍｍであるため、入球口から逸れた遊技球は左右に２．７５ｍｍ（＝（１６．５−１１）／２）ずつしか経路変更できない。このため、入球口から逸れた遊技球はほぼ直下のみにしか流下できず、遊技球の挙動に十分な変化を与えて趣向性を高めることは難しい。
【００３２】
さらに、入球口の総数は遊技規則で規定されており規定数以上の総入球口を保たなければならないため、可変表示装置５の大型化に伴って入球口の数を安易に減らすことはできない。
したがって、入球口の総数を減らすことなく可変表示装置５を現状よりも大型化するためには、入球口の配置の問題を解決することが不可欠である。そのため、センター役物左右球通過領域Ｊには入球口を設置せず、入球口群Ｎを前述の通りの領域に集約して配置しているのである。
【００３３】
また、現在の遊技規則によれば、総入球口数（総入賞口数）は、可動式役物が動作しない通常の遊技状態において５個以上となるよう規定されており、始動入賞口の数はその三分の一（小数点以下切り捨て）以上でなけばならない。本実施例は総入球口数（総入賞口数）が５個、始動入賞口が１個でありこの規則を満足している。総入球口数（総入賞口数）がそれより多くなると、入球口の配置の変更等の変更が適宜必要となることがある。
【００３４】
可変表示装置５と、その周辺の遊技領域４との寸法面の関係を図３を参照して説明する。可変表示装置５の頂点から遊技領域４の頂点までの垂直距離Ｈ2 が６７ｍｍ、可変表示装置５の頂点から頂点中央釘までの垂直距離Ｈ3 が３４ｍｍ、センター役物１４の高さＨ4 が２２１ｍｍに設定されている。
【００３５】
また、誘導樋球受口領域幅Ｗ2 が９０ｍｍ、センター役物１４上部の上部領域における左右端部頂点釘間の水平距離Ｗ3 が１５１ｍｍ、導入口７７０ａ，７７０ｂ（図１１参照）のそれぞれの幅Ｗ5 が１４ｍｍ、導入口７７０ａ，７７０ｂ（図１１参照）上部釘の左右の水平距離Ｗ6 が５９ｍｍ、センター役物１４の横幅Ｗ7 が３０９ｍｍ、センター役物左右球通過領域幅Ｗ1 の若干上部の領域の横幅は、左側幅Ｗ8 が３３ｍｍ、右側幅Ｗ9 が３２ｍｍに設定されている。風車２（図２参照）が配置された左右の領域の横幅は左側幅Ｗ10が４７ｍｍ、右側幅Ｗ11が４６ｍｍに設定されている。始動入賞口１６の拡大時最大横幅Ｗ12が４９ｍｍ、通常時横幅Ｗ13が１３ｍｍに設定されている。
【００３６】
さらに、第１レール部材３ａの最下点を通過する水平線Ｓから、センター役物１４の最上部、液晶表示盤５ａの中央横線、始動入賞口頂点、センター役物１４最下点を通過する水平線、大入賞口１８の中心高さを示す水平線、普通入賞口２２ｄの最上点、普通入賞口２２ｃの最上点までの垂直距離Ｈ5 ，Ｈ6 ，Ｈ7 ，Ｈ8 ，Ｈ9 ，Ｈ10，Ｈ11が、それぞれ、３２９ｍｍ，２０１ｍｍ，９３ｍｍ，１０８ｍｍ，４８ｍｍ，６７ｍｍ，９１ｍｍに設定されている。遊技領域４の最大横幅Ｗ14が３９４ｍｍに設定されている。２点鎖線で示す１０インチ液晶表示盤５ａの画面は高さＨ15が１４７ｍｍ、幅Ｗ15が２０７ｍｍ、８インチ液晶表示盤５ａの画面は高さＨ16が１１７ｍｍ、Ｗ16が１６６ｍｍに設定されている。
【００３７】
図４は遊技領域４の投影面を斜線で示す。図中のＴ1 は、遊技領域４の中心縦線であり、Ｔ2 は役物配置の中心縦線である。両中心線は一致しておらず、Ｔ2 はＴ1 に対して右側に偏倚するとともに、オフセット量は４ｍｍに設定されている。
【００３８】
図５の斜線は可変表示装置５の投影面を斜線で示す。この投影面中の２つの２点鎖線枠（横長四角形）は、８インチ及び１０インチの液晶表示盤５ａの輪郭を示している。また、８インチの液晶表示盤５ａに適合するセンター役物１４は２点鎖線の曲線で示している。入球口群Ｎを配置できる領域の高さＭの取り得る範囲は、図５の場合、１０インチの液晶表示盤５ａ単体の場合、遊技領域の高さＬ（図３参照）の概ね２５％ないし６０％、８インチの液晶表示盤５ａとそのセンター役物１４の場合、概ね２５％ないし５５％、１０インチの液晶表示盤５ａとそのセンター役物１４の場合、概ね２５％ないし３５％である。
【００３９】
また、１０インチの液晶表示盤５ａ単体の場合、センター役物左右球通過領域幅Ｗ1 の遊技領域の最大横幅Ｗ14（図３参照）に対する割合の取り得る範囲は、概ね０〜２５％であり、８インチの液晶表示盤５ａとそのセンター役物１４の場合、概ね０％ないし１５％、１０インチの液晶表示盤５ａとそのセンター役物１４の場合、概ね０％ないし１０％である。なお、上記において、０％というのは、液晶表示盤５ａを片側に偏倚させた場合（の狭い側）或いはセンター役物１４を左右領域一杯まで拡張した場合である。
【００４０】
なお、上述したように、可変表示装置５が遊技領域４のほぼ中央に配置され、その外形寸法が、その左側方及び右側方の遊技領域４の領域への入球口の配置を制約する程度に大型に設定されている点は、以下に述べる実施例においても同様である。
【００４１】
図６および図７に示すように、センター役物１４は、額縁状の本体部２４と本発明のアタッチメントに該当する裏部材２６とから構成されている。さらに、本体部２４は、ベース板２８、中飾部材３０、左飾部材３２、右飾部材３４、誘導部材３６によって構成されている。
【００４２】
中飾部材３０にはデジタル表示器３７と一対の天入球口３８が設けられており、ベース板２８には、天入球口３８に対応して球誘導路４０が設けられている。この両天入球口３８、３８の外側端部には、内側へ低く傾いた、小さな傾斜面４０ａ、４０ｂ（図６参照）が形成され、球誘導路４０、４０への案内を円滑にしている。そして、裏部材２６には、球誘導路４０に対応して球入口４２が設けられている。
【００４３】
ここで、図２に示すように、誘導樋球受口領域幅Ｗ2 は、２つの天入球口３８，３８の開口幅と仕切部３０ａの幅を足し合わせた寸法を表す。本実施例では平面から見た天入球口３８，３８の各開口幅が２２ｍｍ、仕切部３０ａの幅が４６ｍｍであり、誘導樋球受口領域幅Ｗ2 は９０ｍｍに設定されている。なお、本実施例のように２つ天入球口３８，３８を設ける場合、誘導樋球受口領域Ｗ2 の最小寸法は、２４ｍｍとなると考えられる。この寸法値は天入球口３８，３８の開口幅各々１１ｍｍ（合計２２ｍｍ）とし、仕切部３０ａの幅を２ｍｍとし、これらを合計することにより得られる。一般には、遊技球が１ｌｍｍの直径に正負の公差（例えば０．０５ｍｍ）をもって製造されるため、天入球口３８，３８の閉口幅は正の公差を考慮して１１ｍｍよりも若干大きく設定される。また、上述の仕切部３０ａの幅の２ｍｍは、両天入球口３８，３８を一枚の樹脂製板により仕切る場合に、樹脂成型を良好に行うために必要とされる最小の板厚である。
【００４４】
図８に示すように、裏部材２６の背板部２７の上辺から側辺にかけては、球入口４２に連通するワープ通路４４が設けられており、ワープ通路４４は、ステージ４６の左右端の上方に開口する球出口４８に通じている。このため、球入口４２に流入した遊技球（つまり天入球口３８に入球した遊技球）は、ワープ通路４４を通って球出口４８からステージ４６上に落下することになる。ステージ４６に落下した遊技球は、ステージ４６の凹部４７に向かって移動し、あるものはその途中で、あるものは凹部４７から手前側に落下する。凹部４７の下方には始動入賞口１６が配されているから、凹部４７から落下した遊技球が始動入賞口１６に入賞する可能性が高いと言える。
【００４５】
図７および図８に示すように、ステージ４６は、嵌合枠５０の一部となっており、嵌合枠５０の内側は窓５１として開口している。この窓５１は、１０インチの液晶表示盤５ａに整合する寸法である。また、図６、図７および図８に示すように、ステージ４６の奥側の縁には、球衝突防止突起５２が設けられている。
【００４６】
図７に示すように、ベース板２８には、裏部材２６の嵌合枠５０に整合する内面形状の支持枠５４が設けられており、図６に示されるように、この支持枠５４の内側に嵌合枠５０を嵌合させることにより、ベース板２８（すなわち本体部２４）と裏部材２６とが接合される。そして、この嵌合を解除することにより、本体部２４から裏部材２６を取り外すことができる。
【００４７】
図６、図７および図９に示すように、左飾部材３２と右飾部材３４とは互いに対照となる形状で、中飾部材３０と共に庇状に前方に突出している。左飾部材３２および右飾部材３４のそれぞれの側面には球通過口５６が開口しており、図９に示すように、球通過口５６は落下口５８に連通している。この落下口５８から落下した遊技球は、誘導部材３６上に落ち、誘導部材３６によって中央側に誘導されて、さらに下方へと落下することになる。なお、遊技球が球通過口５６を通過するとデジタル表示器３７が変動停止し、停止した図柄が当たり図柄であると始動入賞口１６が設定された時間だけ開放するので、この場合には始動入賞口１６への入賞の可能性が極めて高くなる。
【００４８】
このように構成されるセンター役物１４は、図１０に示されるように、中飾部材３０、左飾部材３２、右飾部材３４等を遊技盤１２の前面側として、支持枠５４を遊技盤１２の取付穴１３に嵌合させ、遊技盤１２の裏面側から裏部材２６を嵌合させることによって、遊技盤１２に取り付けられる。なお、この際、ベース板２８は遊技盤１２の正面にビス等で固定され、裏部材２６は遊技盤１２の裏面にビス等で固定される。また、裏部材２６の裏面には、１０インチの液晶表示盤５ａがビス等で固定される。したがって、図１に示されるように、窓５１内は液晶表示盤５ａの表示面５ｂにて満たされる。
【００４９】
ここで、案内部７５０を図１１及び図１２を参照して説明する。この案内部７５０は複数の障害釘から構成されたものである。案内部７５０の中央部分は、山形に配置された３つの釘群からなる流出規制部７６０からなり、この流出規制部７６０が誘導樋球受口領域Ｋの上部を囲うように配置され三角形状のスペースを形成しており、また流出規制部７６０には誘導樋球受口領域Ｋに遊技球を導入する導入口７７０ａ，７７０ｂ（釘の隙間）がそれぞれ形成されている。遊技球がセンター役物左右球通過領域幅Ｗ1へ流下することを案内部７５０が妨げ、天入球口３８，３８へ導入される確率を高めることで遊技の興趣を確保することができる。また、流出規制部７６０の両側にも障害釘が左右対称に傾斜して配列されて遊技球を中央に寄せるために配置されており、球誘導面３２ａ，３４ａへ遊技球を円滑に誘導することとする。これら球誘導面３２ａ，３４ａの働きにより、遊技球はここを滑落して、球通過口５６，５６付近の障害釘に反射されて球通過口５６，５６に入球する確率が高まることがある。
【００５０】
誘導樋球受口領域Ｋの作用を図１１及び図１２を参照して説明する。
上述の導入口７７０ａ，７７０ｂを通って、一旦、誘導樋球受口領域Ｋに達した遊技球は、この領域外に流出しにくいという効果がある。
ところで、従来は、発射装置（図示略）の発射力のバラツキの問題に加えて、可変表示装置５の大型化に伴い、始動入賞口１６への入球が困難になることや、遊技が単調になることの問題が生じている。つまり、過度に多くの遊技球が可変表示装置５を避けて遊技領域４の左右両側を流下すると、遊技球が始動入賞口１６から遠く離れ、始動入賞口１６に入球し難くなる。また、遊技球が始動入賞口１６に集まり易くなるよう障害釘を配設することも可能であるが、遊技球を可変表示装置５の左右から始動入賞口１６へ向けて横断させることになるため、遊技球の挙動が単調で不自然になり易い。したがって、こうした不都合を解消すべく、より多くの遊技球を可変表示装置５に通して入球口群Ｎに導くことにより、可変表示装置５にて遊技球の挙動に多様性を持たせることが可能となり、遊技球の挙動が単調になることを防止できるのである。
【００５１】
以上の説明から明らかなように、このセンター役物１４では、裏部材２６を着脱することができる。したがって、裏部材２６を、例えば４インチや６インチの可変表示装置の表示面に応じた寸法の窓を持つ裏部材（アタッチメント）に交換すれば、センター役物１４の本体部２４を取り換えなくても（すなわち遊技盤１２上の部品の配置を変更しなくても）、４インチや６インチの可変表示装置をパチンコ機Ａ１に装着することができる。次に、そうしたアタッチメントの具体例をいくつか説明する。
【００５２】
【アタッチメント例１】
図１３、図１４および図１５に示すように、この例の裏部材（アタッチメント）７０も、上述した１０インチ用の裏部材２６と同様に背板部７２と嵌合枠７４とからなり、嵌合枠７４の下部はステージ７６となっている。なお、背板部７２の外周形状、背板部７２の上部に設けられた球入口７８の位置と寸法および嵌合枠７４の形状（寸法）は、上述の裏部材２６と同じになっている。したがって、図１３に示すように、裏部材２６に代えてこの裏部材７０を本体部２４に嵌合させることができる。
【００５３】
上述の１０インチ用の裏部材２６とは異なる部分としては、背板部７２が嵌合枠７４の内側にまで延出されている点、その背板部７２の中央部分に４インチ液晶表示盤に整合する寸法の表示窓８０が設けられている点、表示窓８０の左右には蛇行する流下溝８２が設けられている点等があり、裏部材７０は４インチ液晶表示盤を表示窓８０に整合させて表示装置を保持することができる。
【００５４】
図１４および図１５に示すように、球入口７８と流下溝８２とは、背板部７２内に設けられた誘導樋８４によって接続されており、球入口７８に流入した遊技球（つまり天入球口３８に入球した遊技球）は、誘導樋８４を通って流下溝８２に入り、流下溝８２内を移動して、その途中あるいは下端部からステージ７６上に落下することになる。ステージ７６に落下した遊技球は、ステージ７６の凹部８６に向かって移動し、あるものはその途中で、あるものは凹部８６から手前側に落下する。凹部８６の下方には始動入賞口１６が配されているから、凹部８６から落下した遊技球が始動入賞口１６に入賞する可能性が高いと言える。この点は、上述の裏部材２６のステージ４６の働きと同様であるが、この裏部材７０では流下溝８２が遊技者側に露出されているので、流下溝８２を通る遊技球を遊技者が視認できるから、どの辺りでステージ７６に落ちるかによって遊技者に気をもませたり楽しませるという効果がある。
【００５５】
この裏部材７０は、図１６に示されるように、背面側に４インチの液晶表示装置８９を保持した状態で、遊技盤１２の裏面側から本体部２４に嵌合させて取り付けられる。この取付は実施例１のセンター役物１４の場合と同様で、中飾部材３０等を遊技盤１２の前面側として、支持枠５４を遊技盤１２に嵌合させ、遊技盤１２の裏面側から裏部材７０を嵌合させることによって、遊技盤１２に取り付けられる。この際、ベース板２８は遊技盤１２の正面にビス等で固定され、裏部材７０は遊技盤１２の裏面にビス等で固定される。また、裏部材７０の裏面には、可変表示装置としての４インチの液晶表示装置８９がビス等で固定される。裏部材７０は、裏部材２６と同様に、自在に取り外しできる。
【００５６】
【アタッチメント例２】
この例の裏部材は、アタッチメント例１の流下溝を立体化したものである。なお、この立体化に関わる部分以外はアタッチメント例１の裏部材７０と同様であるので、それら同様な部分については裏部材７０と同じ品番を用いて説明を省略する。
【００５７】
図１７に示すように、裏部材７１の左側の流下溝８３の終端には突出樋８５が接続されている。突出樋８５は、表示窓８０の下辺に沿ってステージ７６の凹部８６の上まで延出されており、流下溝８３を通過した遊技球は、突出樋８５上を移動して凹部８６上に落下することになる。このため、突出樋８５にて誘導された遊技球は始動入賞口１６に入賞しやすくなると言える。また、裏部材７０と同様に、流下溝８２、８３および突出樋８５を通る遊技球を遊技者が視認できるから、どの辺りでステージ７６に落ちるかによって遊技者に気をもませたり楽しませるという効果がある。
【００５８】
【アタッチメント例３】
この例の裏部材９０も、アタッチメント例１の裏部材７０と同様に、４インチ液晶表示装置用であり、図１８に示すように、１０インチ用の裏部材２６と同様に背板部９２と嵌合枠９４とからなり、嵌合枠９４の下部はステージ９６となっている。なお、背板部９２の外周形状、背板部９２の上部に設けられた球入口９８の位置と寸法、球入口９８に連なるワープ通路１００、ワープ通路１００の出口となる球出口１０２および嵌合枠９４の形状（寸法）は、上述の裏部材２６と同じになっている。したがって、裏部材２６に代えてこの裏部材９０を本体部２４に嵌合させることができる。また、背板部９２の中央部分に４インチ液晶表示盤に整合する寸法の表示窓１０４が設けられている点も裏部材７０と同様である。
【００５９】
ただし、この裏部材９０には、表示窓１０４の左右に表示器１０６が配されており、例えば始動回数、大当たり回数、確率変動回数、ベース、遊技の説明等、遊技に関する各種の情報を表示可能となっている。
例えば１０インチの表示装置なら表示面を複数の領域に分割して、上述のような各種の情報を表示することも可能であるが、４インチではそうもいかない。しかし、表示器１０６を備えることにより大型の表示装置と同等の情報を表示することが可能になる。
【００６０】
【アタッチメント例４】
このアタッチメント例の裏部材１２０は、４インチの液晶表示装置１２２を内蔵するものである。
図１９に示すように、裏部材１２０は、アタッチメント例１の裏部材７０と同様の背板部１２４を備えており、背板部１２４には、アタッチメント例１の裏部材７０の球入口７８と同様の球入口１２６が設けられている。ただし、嵌合枠に代えて嵌合凸部１２８を備える点で、上記２例の裏部材７０、９０とは違っている。
【００６１】
嵌合凸部１２８の外形寸法は、裏部材７０、９０の嵌合枠７４、９４と同じとされていて、裏部材２６に代えてこの裏部材１２０を本体部２４に嵌合させることができる。嵌合凸部１２８の中央部には、液晶保持窓１３０が設けられており、この液晶保持窓１３０は、背板部１２４を貫いて背面で開口している（図示は省略）。この液晶保持窓１３０には、前述の液晶表示装置１２２が内蔵されている。また、液晶保持窓１３０の左右には、アタッチメント例１の裏部材７０に設けられていたのと同様の流下溝１３２が設けられている。流下溝１３２と球入口１２６とは、背板部１２４内に設けられた誘導樋（図示略）によって接続されており、球入口１２６に入った遊技球を流下溝１３２から放出することができる。
【００６２】
このように液晶表示装置１２２を内蔵する形態とすると、センター役物全体の奥行きを小さくすることができる。
【００６３】
【アタッチメント例５】
このアタッチメント例の裏部材１４０も、液晶表示装置１４２を内蔵するものであるが、そのサイズが１０インチである点で上記例とは違っている。
図２０に示すように、裏部材１４０は、背板部１４４を備えており、背板部１４４には、アタッチメント例１の裏部材７０の球入口７８と同様の球入口１４６が設けられている。ただし、嵌合枠に代えて嵌合凸部１４８を備える点でアタッチメント例４の裏部材１２０と同様であり、アタッチメント例１、３の裏部材７０、９０とは違っている。
【００６４】
嵌合凸部１４８の外形寸法は、裏部材１２０の嵌合凸部１２８（すなわち裏部材７０、９０の嵌合枠７４、９４）と同じとされていて、裏部材２６に代えてこの裏部材１４０を本体部２４に嵌合させることができる。嵌合凸部１４８には、液晶保持窓１５０が設けられており、この液晶保持窓１５０は、背板部１４４を貫いて背面で開口している（図示は省略）。この液晶保持窓１５０には、前述の液晶表示装置１４２が内蔵されている。また、液晶保持窓１５０の左右下方には、図示しない経路で球入口１４６に連通される球出口１５２が設けられており、球入口１４６に入った遊技球を球出口１５２から放出することができる。
【００６５】
このように液晶表示装置１４２を内蔵する形態とすると、センター役物全体の奥行きを小さくすることができる。
【００６６】
【実施例２】
この実施例のセンター役物が設置されるパチンコ機の全体的な構成および遊技盤上の入賞装置等の配置は、図１に示されるパチンコ機Ａ１と同様であり、本実施例のセンター役物の設置位置も図１と同様であるので、そうした構成の図示および説明は省略する。
図２１に示すように、この実施例のセンター役物２００は、本体部２０２とアタッチメント２０４およびアタッチメント２０４に保持される液晶表示装置２０６とから構成される。図示する液晶表示装置２０６は４インチであり、アタッチメント２０４は４インチ用である。枠状の本体部２０２の上部中央には、デジタル表示器２０８とその左右に設けられた球入口２１０を備える中飾部材２１２が配されている。また、中飾部材２１２の左右には左飾部材２１４と右飾部材２１６が配されており、これら中飾部材２１２、左飾部材２１４および右飾部材２１６は、庇状に前方に突出している。
【００６７】
左飾部材２１４および右飾部材２１６の下方には図示省略する球通路を有する導入部材２１８、２２０が配されており、破線の矢印で示すように、遊技球を本体部２０２の外側から内側に導入することができる。導入部材２１８、２２０の下方には、ステージ２２２と一連の球誘導部２２４が配されており、導入部材２１８、２２０によって本体部２０２の外側から内側に導入されて排出される遊技球をステージ２２２上に導くことができる。そして、ステージ２２２の中央部には凹部２２６が設けられており、ステージ２２２上を移動してきた遊技球は、ときには凹部２２６に達する前に手前側に落下し、凹部２２６に達した遊技球は、凹部２２６から手前側に落下する。この凹部２２６の下方には始動入賞口１６が配されているから（図１参照）、凹部２２６から落下した遊技球が始動入賞口１６に入賞する可能性が高いと言える。なお、遊技球が導入部材２１８、２２０を通過するとデジタル表示器２０８が変動停止し、停止した図柄が当たり図柄であると始動入賞口１６が設定された時間だけ開放するので、この場合には始動入賞口１６への入賞の可能性が極めて高くなる。
【００６８】
図２１および図２２に示すように、本体部２０２の内側に配されているアタッチメント２０４の中央部には略矩形の表示窓２２８が設けられており、その内側に液晶表示装置２０６の表示面が露呈している。
アタッチメント２０４の内部には、本体部２０２に組み付けたとき（図２１参照）には球入口２１０に連通し、遊技球移動域に該当する一対の誘導樋２３０が左右対称に設けられている。これら誘導樋２３０の前面側はカバー２３２によって覆われている。なお、図２１および図２２は、カバー２３２の右側を取り除いた状態を図示しており、左右２箇所ずつの窓２３３からのみ誘導樋２３０内を見ることができる。
【００６９】
誘導樋２３０は、途中で上側樋２３４と下側樋２３６とに分岐していて、その分岐部には遊技盤面に取り付けられる障害用の風車と同様の構造の振分部材２３８が設置されている。上側樋２３４は回転体２４０を収容する保留部２４２に連通している。回転体２４０は、複数の受球穴２４４を備えており、図示しないモータによって時計回りに回転させられる。また、カバー２３２には、保留部２４２の下端に対応する位置に球出口２４６が設けられ、受球穴２４４の周回軌道に沿って複数の窓２４８が設けられている。したがって、上側樋２３４を通過した遊技球は、回転体２４０の回転に伴って空の受球穴２４４が上側樋２３４に対応する位置に来るとその受球穴２４４に入り、受球穴２４４が球出口２４６に対応する位置になると球出口２４６から流出する。球出口２４６から流出した遊技球は、ステージ２２２の凹部２２６から下方に落下する。また、遊技者は、窓２４８を透して回転体２４０と共に移動する遊技球を見ることができる。
【００７０】
一方、下側樋２３６は、保留部２４２付近でＵターンして背板部２５０内に入り込んでおり、背板部２５０の左右下隅に設けられている球出口２５２に通じている。図２１に示すように、球出口２５２の下方にはステージ２２２が配されているので、球出口２５２から流出した遊技球はステージ２２２上を移動して、ときには凹部２２６に達する前に手前側に落下し、凹部２２６に達した遊技球は、凹部２２６から手前側に落下する。
【００７１】
前述したように凹部２２６の下方には始動入賞口１６が配されているのであるが、球出口２４６から流出した遊技球はすべて凹部２２６から落下し、球出口２５２から流出した遊技球は、その一部が凹部から落下する。つまり、遊技球が球出口２４６から流出する方が、球出口２５２から流出するよりも始動入賞口１６に入賞する可能性が高い。したがって、遊技者としては、誘導樋２３０に流入した遊技球が上側樋２３４と下側樋２３６のどちらに振り分けられるか大いに気になることになる。また、上側樋２３４に流れ込んだ遊技球は回転体２４０により１球ずつ落下させられるので、１球１球を楽しめる。
【００７２】
このアタッチメント２０４は、背板部２５０をボルト（ビス等、図示略）によって本体部２０２に固定されることにより、本体部２０２に取り付けられる。したがって、ボルトをはずせば、アタッチメント２０４を本体部２０２（すなわち遊技盤）から取り外すことができる。そして、例えば図２３に示される構造の１０インチ用のアタッチメント３００や図２４に示される横長の表示盤用のアタッチメント３１０等と交換することができる。
【００７３】
【アタッチメント例６】
図２３に示すように、アタッチメント３００は、上述したアタッチメント２０４と同寸法の背板部３０２を備えている。この背板部３０２の上部には、図２１に示される本体部２０２の球入口２１０に対応する位置に開口する球誘導樋３０４が設けられている。球誘導樋３０４の球出口３０６は、アタッチメント２０４の左右下隅の球出口２５２と同じ位置に開口している。ただし、背板部３０２には１０インチの液晶表示装置３０７の表示面と整合する表示窓３０８が設けられ、この表示窓３０８内に１０インチの液晶表示装置３０７が取り付けられており、球誘導樋３０４は液晶表示装置３０７の背後を通っている。
【００７４】
このアタッチメント３００も、アタッチメント２０４と同様に、背板部３０２をボルト（ビス等、図示略）によって本体部２０２に固定されることにより、本体部２０２に取り付けられる。
【００７５】
【アタッチメント例７】
図２４に示すように、アタッチメント３１０は、上述したアタッチメント２０４と同寸法の背板部３１２を備えており、中央部には横長のパノラマ型表示盤３１３が配されている。この背板部３１２の上部には、図２１に示される本体部２０２の球入口２１０に対応する位置に開口する球誘導樋３１４が設けられている。球誘導樋３１４の下端部は分流通路３１６内に挿通されており、図２５に示されるように前後に開口する流出口３１８ａ、３１８ｂを介して分流通路３１６に通じている。
【００７６】
図２５に示すように、分流通路３１６は、奥側の第１スロープ３１６ａと手前側の第２スロープ３１６ｂとを有しており、それらの間に緩傾斜面３２０ａを有する山部材３２０が配されている。第１スロープ３１６ａの先端に隣接して落下誘導路３２２が開口しており、落下誘導路３２２に落下した遊技球は、その出口３２４から落下する。
【００７７】
山部材３２０の中央部には前方に傾斜する溝３２０ｂが設けられており、緩傾斜面３２０ａ上を通過してきた遊技球は溝３２０ｂによって手前側に導かれて落下する。この溝３２０ｂからの落下先には受球穴３２６ａと複数の裏面穴３２６ｂを有する回転体３２６が配されている。この回転体３２６は、図示しないモータにより時計回りに回転させられる構造で、受球穴３２６ａ、裏面穴３２６ｂが回転体３２６の外周を覆う側面カバー３２８よりも上側に来ているときには、それらに遊技球が流入できる。受球穴３２６ａに入った遊技球は、側面カバー３２８間に形成されている切欠３３０上に受球穴３２６ａが来たときに切欠３３０から落下し、裏面穴３２６ｂに流入した遊技球も同様に切欠３３０から落下する。
【００７８】
図２４及び図２５に示すように、分流通路３１６の第２スロープ３１６ｂ上を通った遊技球は、その先端から袋状通路３３２側に落下する。このとき回転体３２６に向かって飛び出して受球穴３２６ａ又は裏面穴３２６ｂに流入するものもある。袋状通路３３２の先端部には穴３３４が設けられ、穴３３４の奥側には内側傾斜路３３６と外側傾斜路３３８が接続されている。このため、袋状通路３３２に流入した遊技球は穴３３４から奥側に流出し、内側傾斜路３３６又は外側傾斜路３３８を通って、出口３３６ａ又は出口３３８ａから落下する。
【００７９】
このアタッチメント３１０も、アタッチメント２０４と同様に、背板部３１２をボルト（図示略）によって本体部２０２に固定されることにより、本体部２０２に取り付けられる。
出口３２４、切欠３３０、出口３３６ａ、出口３３８ａから落下した遊技球は、図２１に示されるステージ２２２上を移動して、ときには凹部２２６に達する前に手前側に落下し、凹部２２６に達した遊技球は、凹部２２６から手前側に落下する。前述したように凹部２２６の下方には始動入賞口１６が配されているのであるが、例えば出口３３８ａから落下するよりも切欠３３０から落下した方が凹部２２６から落下しやすく、始動入賞口１６に入賞する可能性が高い。したがって、遊技者としては、分流通路３１６でどこに進むか、受球穴３２６ａ又は裏面穴３２６ｂに流入するかしないか、内側傾斜路３３６へ進むか外側傾斜路３３８に進むかが大いに気になる。このように、センター役物２００の内部での遊技球の進路が複雑でセンター役物２００からの落下位置もさまざまになるので、遊技者を楽しませることができる。
【００８０】
以上の説明から明らかなように、このセンター役物２００では、アタッチメント２０４、アタッチメント３００、アタッチメント３１０等を着脱、交換することができる。したがって、センター役物２００の本体部２０２を取り換えなくても（すなわち遊技盤上の部品の配置を変更しなくても）、４インチや１０インチのあるいはパノラマ型の可変表示装置をパチンコ機に装着することができる。
【００８１】
【実施例３】
この実施例のセンター役物が設置されるパチンコ機の全体的な構成および遊技盤上の入賞装置等の配置は、実施例１のパチンコ機Ａ１（図１参照）と同様であり、本実施例のセンター役物の設置位置も実施例１と同様である。また、本実施例のセンター役物は、実施例１のセンター役物１４と同様の本体部２４を構成するベース板２８、中飾部材３０、左飾部材３２、右飾部材３４、誘導部材３６、支持枠５４等（図７参照）を備え、センター役物１４と同様のステージ４６を有している。これら実施例１と同様の部分については構成の図示および説明は省略する。
【００８２】
図２６に示すように、この実施例のアタッチメント４００は、背板部材４０２、背板部材４０２の背面側に取付けられる背面通路形成板４０４ａ、４０４ｂ、背板部材４０２の前面側に配されるバッフル４０６ａ、４０６ｂ、ランプ４０８ａ、４０８ｂ、通路形成部材４１０、進路変更部材としての自由回転体４１２ａ、４１２ｂ、同じく進路変更部材に該当し上面に多数の突起４１４ａと４箇所の凹部４１４ｂを有する回転板４１４、回転板４１４を回転駆動するモータ４１６、モータ４１６が取付けられるモータ支持部材４１８、モータ４１６を保護するためのモータカバー４２０、通路形成部材４１０の手前側を覆う前面板４２２等から構成されている。
【００８３】
背板部材４０２の上部には、図示しない本体部の中飾部材に設けられている入球口（図７参照）に対応する位置に開口する２箇所の入口通路４２４ａ、４２４ｂが設けられている。また、中央部には４インチの液晶表示装置４０１（図２８参照）の表示面４０３（図２７参照）を露呈させる表示窓４２６が設けられている。表示窓４２６の下方には背面通路口４２８ａ、４２８ｂが開口し、左右の落下口４３２ａ、４３２ｂが前方に突出して設けられている。落下口４３２ａ、４３２ｂは図示しない溝により、それぞれ背面通路口４２８ａ、４２８ｂと連通し、図２２に示されるように背面通路形成板４０４ａ、４０４ｂが取付けられて溝の背面側が閉じられると、ここに背面通路４３０ａ、４３０ｂ（図３０参照）が形成される。
【００８４】
背板部材４０２の前面側には、まずバッフル４０６ａ、４０６ｂが取付けられる。バッフル４０６ａ、４０６ｂは、垂直方向に延びる前後仕切部４３４ａ、４３４ｂと水平方向に延びる間隔保持部４３６ａ、４３６ｂとからなり、図２７及び図２９〜３１に示されるように、背板部材４０２の前面側に固定される。
【００８５】
これらバッフル４０６ａ、４０６ｂを覆うようにして背板部材４０２の前面側に固定される通路形成部材４１０には、図２７及び図２９〜３１に示されるように入口通路４２４ａ、４２４ｂに接続される導入通路４３８ａ、４３８ｂ、導入通路４３８ａ、４３８ｂに続いて形成されて自由回転体４１２ａ、４１２ｂが配される振分部４４０ａ、４４０ｂ、振分部４４０ａ、４４０ｂの下側に連設された外側通路４４２ａ、４４２ｂ及び内側通路４４４ａ、４４４ｂ、内側通路４４４ａ、４４４ｂの先端に連設された筒状通路４４６ａ、４４６ｂ、内側通路４４４ａ、４４４ｂの底に設けられた落下穴４４８ａ、４４８ｂ、導入通路４３８ａ、４３８ｂ間に横設された連結部４５０、筒状通路４４６ａ、４４６ｂ間に横設された中央板４５２等を備えている。これら導入通路４３８ａ、４３８ｂ、振分部４４０ａ、４４０ｂ、外側通路４４２ａ、４４２ｂ、内側通路４４４ａ、４４４ｂ及び筒状通路４４６ａ、４４６ｂは、遊技球移動域に該当し、中央板４５２と回転板４１４も遊技球移動域の一部となる。
【００８６】
なお、背板部材４０２への取付けに先だって、通路形成部材４１０の背面側にランプ４０８ａ、４０８ｂが取付けられ、前面側に軸ピン４３７ａ、４３７ｂにて回転自在に自由回転体４１２ａ、４１２ｂが取付けられる。
また、モータ支持部材４１８の貫通孔４１８ａに出力軸４１６ａを貫通させて、モータ４１６がモータ支持部材４１８に取付けられる。そのモータ４１６の出力軸４１６ａに回転軸４１４ｃを外嵌させて回転板４１４が取付けられ、カバー４１５が回転軸４１４ｃに外嵌されビス止めされる。さらに、モータ支持部材４１８にはモータカバー４２０が取付けられる。こうして、モータ４１６、回転板４１４、モータカバー４２０等が取付けられたモータ支持部材４１８も、背板部材４０２への取付けに先だって、通路形成部材４１０の中央下部に取付けられている。なお、回転板４１４は手前側が低く奥側が高くなるように傾斜して取付けられる。
【００８７】
このように、ランプ４０８ａ、４０８ｂ、自由回転体４１２ａ、４１２ｂ、回転板４１４、モータ４１６等が取付けられた通路形成部材４１０が、バッフル４０６ａ、４０６ｂを覆うようにして背板部材４０２の前面側に固定される。通路形成部材４１０を背板部材４０２に取付けた際には、前述のように導入通路４３８ａ、４３８ｂは入口通路４２４ａ、４２４ｂに接続され、図３０に示されるように外側通路４４２ａ、４４２ｂの出口側は背面通路４３０ａ、４３０ｂに接続される。
【００８８】
この通路形成部材４１０を覆う前面板４２２は、導入通路４３８ａ、振分部４４０ａ、外側通路４４２ａ、内側通路４４４ａ及び筒状通路４４６ａの手前側を覆う左カバー部４２２ａ、同様に導入通路４３８ｂ、振分部４４０ｂ、外側通路４４２ｂ、内側通路４４４ｂ及び筒状通路４４６ｂの手前側を覆う右カバー部４２２ｂ、これらの下端部間に横設されている中央部材４２２ｃ等を備え、中央部材４２２ｃの背面側には、３箇所の落下溝４２２ｄ、４２２ｅ、４２２ｆが設けられている。
【００８９】
このようにして組み立てられたアタッチメント４００は、図２７に示される形状で、背板部材４０２の前面側から前面板４２２にかけての部分が、図示しないセンター役物の本体部が配され連結手段としてのビスにより連結される。この本体部の内周形状は前面板４２２の外周形状に沿っていて、前面板４２２側を本体部の内側に抜き差しで可能で、ビスを外せばアタッチメント４００と本体部とを相互に分離でき、他のアタッチメントと交換することができる。したがって、アタッチメントを、例えば６インチや１０インチの可変表示装置の表示面に応じた寸法の窓を持つアタッチメントに交換すれば、センター役物の本体部を取り換えなくても（すなわち遊技盤上の部品の配置を変更しなくても）、６インチや１０インチあるいはパノラマ型の可変表示装置をパチンコ機に装着することができる。
【００９０】
次に、このアタッチメント４００における遊技球の経路について説明する。
入口通路４２４ａ、４２４ｂに流入した遊技球は導入通路４３８ａ、４３８ｂを経て振分部４４０ａ、４４０ｂに至る。そこで自由回転体４１２ａ、４１２ｂに接触してこれを回転させる。すると、自由回転体４１２ａ、４１２ｂの回転方向により、外側通路４４２ａ、４４２ｂ又は内側通路４４４ａ、４４４ｂに流入する。
【００９１】
内側通路４４４ａ、４４４ｂに流入した遊技球のあるものは、図２９に示されるように落下穴４４８ａ、４４８ｂから落下する。また、図３１に示されるように、内側通路４４４ａ、４４４ｂに流入した遊技球のあるものは、落下穴４４８ａ、４４８ｂから落下せずに内側通路４４４ａ、４４４ｂから筒状通路４４６ａ、４４６ｂに流入する。筒状通路４４６ａ、４４６ｂを通った遊技球は、その先端から中央板４５２上に流出し、中央板４５２から回転板４１４上に移動する。ここで回転板４１４の回転と突起４１４ａにより進路を変化させられて、落下溝４２２ｄ、４２２ｅ、４２２ｆのいずれかから落下する。
【００９２】
一方、外側通路４４２ａ、４４２ｂに流入した遊技球は、図３０に示されるように、外側通路４４２ａ、４４２ｂから背面通路４３０ａ、４３０ｂに流入して、落下口４３２ａ、４３２ｂから落下する。
このように、入口通路４２４ａ、４２４ｂに流入した遊技球は、自由回転体４１２ａ、４１２ｂの回転方向により振り分けられ、内側通路４４４ａ、４４４ｂに流入したものは、さらに落下穴４４８ａ、４４８ｂに落ちるか落ちないかで振り分けられ、落下穴４４８ａ、４４８ｂに落ちなかったものは回転板４１４により進路を変化させられる。よって、入口は２箇所（入口通路４２４ａ、４２４ｂ）であっても、途中の経路及び最終的に放出される位置はさまざまとなり、遊技者を楽しませることができる。
【００９３】
【実施例４】
この実施例は進路変化部材として人形を使用する例である。なお、この実施例のセンター役物が設置されるパチンコ機の全体的な構成および遊技盤上の入賞装置等の配置は、図１に示されるパチンコ機Ａ１と同様であり、本実施例のセンター役物の設置位置も図１と同様であるので、そうした構成の図示および説明は省略する。
【００９４】
図３２に示すように、センター役物５００は、額縁状のベース板５３０を備えており、ベース板５３０の前面上部には中飾部材５３２と左飾部材５３４、右飾部材５３６が庇状に張り出されている。
図３３に示すように、ベース板５３０の背面側には、前面側が開放された支持枠５３７が連設されている。この支持枠５３７にはアタッチメント５０２の外殻となる箱状の枠体５３８が嵌合されている。この枠体５３８には、内側に張り出すようにして表示窓５４０が設けられ、その背後に収容されたＣＲＴ表示装置５４２の表示面５４２ａが表示窓５４０に露呈されている。
【００９５】
図３２に示すように、表示窓５４０の左側には、７セグメントＬＥＤの表示盤５４４が設置され、その下方にはＳ、Ｂ、Ｏの文字に対応して配されたＬＥＤ５４８が取付けられている。
枠体５３８の内側には、下ステージ５５０、上ステージ５５２および段差を形成する前壁５５１が設けられている。
【００９６】
下ステージ５５０は中央部に凹部５５４を有しており、凹部５５４には奥側から手前側に向うわずかな傾斜が設けられている。凹部５５４の左右両側には凹部５５４に向かって傾斜する傾斜部５５６が設けられている。これら傾斜部５５６に連接する端部５５８もわずかに傾斜部５５６に向かって傾斜している。したがって、下ステージ５５０上に遊技球があれば、その遊技球は、これらの傾斜によって凹部５５４に向けて誘導され、凹部５５４から手前側に落下することになる。
【００９７】
図３３に示すように上ステージ５５２には奥側から手前側に向うわずかな傾斜が付与されており、図３２に示すように上ステージ５５２上には、野球場のダイヤモンドを模した図形が描かれている。
図３２及び図３３に示すように、上ステージ５５２上には１体の打者人形５６０と２体の守備人形５６２（図示は１体のみでもう１体はこれと略対照の位置にある）が配されている。図３４に示すように、打者人形５６０は、上ステージ５５２を貫通した回転軸５６４を中心として設定範囲で往復回動する構造で、その回動に応じてバット部５６６が前後に揺動される。
【００９８】
図３３に示すように、上ステージ５５２の床下には打者人形５６０を駆動するための駆動部５６１及び守備人形５６２を駆動するための駆動部５６３が配されている。本実施例では、打者人形５６０の駆動源としてステッピングモータを使用し、守備人形５６２を往復駆動するための機構として、周期的に正転、逆転するモータとラック・ピニオン機構（いずれも図示は省略）を採用しているが、これとは異なる構造としても構わない。打者人形５６０は上述のように往復回動するが、守備人形５６２は、図３２に示されるように上ステージ５５２に設けられた移動穴５６８内を往復移動する支柱５７０に取付けられており、移動穴５６８によって規制される範囲で上ステージ５５２上を往復移動する。
【００９９】
図３２及び図３３に示すように、上ステージ５５２の周囲は、フェンス５７１によって囲まれ、ヒットゾーン５７２、アウトゾーン５７４および球出口５７６が設けられている。ヒットゾーン５７２およびアウトゾーン５７４は、上ステージ５５２からの遊技球の流出口とされており、ヒットゾーン５７２に流入した遊技球は、図３３に示されるように各ヒットゾーン５７２に対応して上ステージ５５２の床下側に設置されているヒットセンサ５７８によって検出されてから、球集合樋５７９に流出し、アウトゾーン５７４に流入した遊技球は、センサ等で検出されることなく球集合樋５７９に流出する。
【０１００】
また、図３２に示すようにヒットゾーン５７２の上縁は広告エリア５８０とされ、各ヒットゾーン５７２に対応して企業名や商品名等が描かれている。さらに、フェンス５７１と枠体５３８との間には多数の観客人形５８２が配されている。つまり、上ステージ５５２とその周囲は野球場を模した構造とされている。
【０１０１】
図３２に示すように、中飾部材５３２には一対の入球口５８４が設けられ、入球口５８４には、枠体５３８の外面に沿って配されたワープ樋５８６が接続されている。このワープ樋５８６の他端は、図示しない経路によって球出口５７６に接続されており、入球口５８４に入った遊技球は球出口５７６から上ステージ５５２上に放出される。
【０１０２】
球出口５７６から上ステージ５５２上に放出された遊技球は、上ステージ５５２の手前側すなわち打者人形５６０側に転動し、タイミングが合えば打者人形５６０のバット部５６６によって打撃される。打撃された遊技球のあるものはヒットゾーン５７２に流入するが、例えば守備人形５６２によって跳ね返されて上ステージ５５２から下ステージ５５０に落下するものや、アウトゾーン５７４に流入するものもある。これにより、遊技者は、自身が打者になったり野球を観戦しているような気分を味わえる。
【０１０３】
また、左飾部材５３４および右飾部材５３６のそれぞれの側面には球通過口５８８が開口しており（左飾部材５３４の球通過口は図示されない）、球通過口５８８に流入した遊技球は、左飾部材５３４および右飾部材５３６の下端部に設けられた出口（図示しない）から下方へと落下する構造である。
【０１０４】
このアタッチメント５０２は、支持枠５３７との嵌合により、ベース板５３０、中飾部材５３２、左飾部材５３４、右飾部材５３６及びワープ樋５８６等からなる本体部５０４に取付けられているので、嵌合を解除することで本体部５０４から簡単に分離でき、他のアタッチメントと交換することができる。したがって、アタッチメントを、例えば他のサイズのＣＲＴ表示装置や液晶表示盤に応じた寸法の窓を持つアタッチメントに交換すれば、センター役物５００の本体部５０４を取り換えなくても（すなわち遊技盤上の部品の配置を変更しなくても）、さまざまなサイズあるいは形式の可変表示装置をパチンコ機に装着することができる。
【０１０５】
また、上ステージ５５２上には打者人形５６０と守備人形５６２が配されていてこれらが運動するので、上ステージ５５２上を移動する遊技球の進路が打者人形５６０又は守備人形５６２との接触や衝突でさまざまに変化する。そして、一部の遊技球はヒットゾーン５７２又はアウトゾーン５７４から流出するが、残りは下ステージ５５０に落下し、さらに下ステージ５５０から遊技盤５０６側に落下する。図３３に示されるように、下ステージ５５０の下方には始動入賞口５０８が設置されているので、下ステージ５５０からの落下位置によっては始動入賞口５０８に入賞しやすかったり、入賞し難かったりさまざまである。
【０１０６】
このように、センター役物５００に流入した遊技球の進路がさまざまに変化するので、それによって遊技者を楽しませることができる。
【０１０７】
【実施例５】
この実施例は進路変化部材として揺動する部材を使用する例である。なお、この実施例のセンター役物が設置されるパチンコ機の全体的な構成および遊技盤上の入賞装置等の配置は、図１に示されるパチンコ機Ａ１と同様であり、本実施例のセンター役物の設置位置も図１と同様であるので、そうした構成の図示および説明は省略する。
【０１０８】
図３５及び図３６に示すように、この実施例のセンター役物６００は、本体部６０２とアタッチメント６０４およびアタッチメント６０４に保持される液晶表示装置６０６とから構成される。図示する液晶表示装置６０６は４インチであり、アタッチメント６０４は４インチ用である。
【０１０９】
本体部６０２の前面側の上辺から左右両辺の中程にかけて前飾部材６０８が配されている。この前飾部材６０８の中央部にはデジタル表示器６１０が取付けられ、図３６に示すように、デジタル表示器６１０の左右には一対の天入球口６１２が、左右の垂下部６１４にはそれぞれ球通過口６１６（図示は右側のみ）が設けられている。
【０１１０】
前飾部材６０８は、その背後のベース板６１８に保持されており、ベース板６１８の背面側には図３６に示される支持枠６２０が連設されている。図３６に示すように、支持枠６２０の上部には天入球口６１２に対応して誘導路６２２が設けられており、アタッチメント６０４の通路基板６２４には誘導路６２２から遊技球を受け入れる球入口６２６が設けられている。また、通路基板６２４の背後には支持基板６４０が配され、前述の液晶表示装置６０６は支持基板６４０にて保持されている。
【０１１１】
次に、アタッチメント６０４内の遊技球の通路について説明するが、センター役物６００は左右対称であるので、主に左側について説明して右側の図示と説明は一部省略する。
図３７に示すように、通路基板６２４には、球入口６２６に連続して受入通路６２８が設けられている。受入通路６２８は外側通路６３０と内側通路６３２に分岐し、その分岐点には第１振分ピン６３３が取付けられている。さらに、外側通路６３０は前通路６３４と支持基板６４０側に設けられた後通路６３６に分岐しており、この分岐点には第２振分ピン６３７が配されている。
【０１１２】
前通路６３４は、図３６、図３９等に示される横断部６３５の背面側を通って、図３７には示されない右側の振分機構部に達している。そして、図３９に示されるように、横断部６３５の前面側に形成された右側の振分機構部の前通路６３４の下流部分が左側の振分機構部に達している。
【０１１３】
また、支持基板６４０側には、後通路６３６に沿って後側放出路６３８が設けられている。この後側放出路６３８の下端は円形に膨らんでおり、ここに揺動体６５４が収容されている。この揺動体６５４は、その構造は後述するが、後側放出路６３８を落下してきた遊技球を左または右に振り分けるもので、左または右に振り分けられた遊技球は、それぞれ揺動体６５４の左側または右側から支持基板６４０の前面側に落下する。
【０１１４】
図３８及び図３９に示すように通路基板６２４の前面側には内側通路６３２の出口６４６が設けられ、その下方には揺動体６５０が配されている。また、図３５に示されるように、同様の揺動体６５１、６５２、６５３、６５４がアタッチメント６０４の各所に複数配されている。
【０１１５】
ここで図４０を参照してこれらの揺動体６５０〜６５４の基本的な構造を説明する。図４０に示すように、揺動体６５０〜６５４は、仕切６５０ａ、左右の受面６５０ｂ、６５０ｃ及び可動側磁石６５０ｄとを備え、仕切６５０ａの根元部分に挿通された軸６５０ｅによって揺動自在に支持されている。また軸６５０ｅを保持している固定側の部材Ｍには軸６５０ｅの下側に固定側磁石６５０ｆが取付けられ、固定側磁石６５０ｆの下方にはストッパ６５０ｇが設けられている。可動側磁石６５０ｄと固定側磁石６５０ｆとは、同極（例えばＳ極）を対面させる配置とされており、これらの間には反発力が働いている。このため、通常は、揺動体６５０は、例えば図４０（ａ）に示されるように、仕切６５０ａを右側あるいは左側に傾けた状態となる。
【０１１６】
ところが、上方から遊技球が落下してくると、仕切６５０ａが左右いずれかに傾いているために、遊技球は受面６５０ｂ、６５０ｃのいずれか一方に載る。すると、遊技球の荷重が可動側磁石６５０ｄと固定側磁石６５０ｆとの反発力に勝って揺動体６５０〜６５４を時計回りまたは反時計回りに揺動させる。この揺動範囲はストッパ６５０ｇへの当接によって約９０度に制限される。揺動体６５０〜６５４の揺動によって受面６５０ｂ、６５０ｃの傾斜方向が反転するので、図４０（ｃ）に示されるように固定側の部材Ｍに開口Ｐが設けられている場合には開口Ｐに流入し、開口Ｐが設けられていない場合には、ガイド部材Ｇによって外周側への転落を阻まれて手前側に転落する。そして、遊技球が受面６５０ｂ、６５０ｃから外れた際には、可動側磁石６５０ｄが固定側磁石６５０ｆの前方を横切って、揺動開始時とは逆側に達しているので、磁石６５０ｄ、６５０ｆの反発力とストッパ６５０ｇとの作用により、揺動体６５０〜６５４は、揺動前とは逆側に傾いた状態とされる。
【０１１７】
なお、固定側の部材Ｍ、開口Ｐ及びガイド部材Ｇの形状等は一律ではなく、各揺動体６５０〜６５４によって異なっている。
図３９に示すように、通路基板６２４の揺動体６５０の下方には、後通路６３６（図３９には示さない）に対応する位置に、前面側が開放された鉛直通路６５８が設けられ、その隣りには前面側に開口すると共に背後側では後側放出路６３８に連通する横断口６６０が設けられている。
【０１１８】
また、横断口６６０に隣接して振分通路６６２が設けられている。振分通路６６２には揺動体６５３を収容する振分部６６６が設けられ、その背面側には後側放出路６３８に連通する導入口６６８が設けられている。また振分通路６６２の下端部は振分部６６６から斜め方向に延ばされており、その下端は開放されている。
【０１１９】
さらに、振分通路６６２の隣りには放出通路６６４が設けられており、放出通路６６４には前通路６３４の下流端が接続されている。
図３５、図３６、図３８、図４１及び図４２に示すように、通路基板６２４の前面側には第１通路層６４２が配され、図３５、図３６、図３８及び図４２に示すように、その前面側には第２通路層６４４が配されている。
【０１２０】
図４１に示すように、第１通路層６４２の内部には内側通路６３２の出口６４６に対応して導入路６７０が設けられており、導入路６７０を通った遊技球は揺動体６５０に向かって落下する。また、第１通路層６４２には、揺動体６５０の下方に４つの横断口６７２、６７４、６７６、６７８が設けられており、それぞれ鉛直通路６５８、横断口６６０、振分通路６６２、放出通路６６４に連通している。また、第１通路層６４２の下側には腕状通路６８０が配されており、図４１及び図４３に示されるように、鉛直通路６５８を落下した遊技球は腕状通路６８０上に放出される。
【０１２１】
図４２に示すように、第１通路層６４２の前面側に配された第２通路層６４４には、揺動体６５０にて進路を振り分けられた遊技球を導入する一対の導入路６８２、６８４と各導入路６８２、６８４に連続して形成された円形の振分部６８６、６８８が設けられ、振分部６８６、６８８にはそれぞれ揺動体６５１、６５２が収容されている。そして、揺動体６５１で左に振り分けられた遊技球は横断口６７２に、右に振り分けられた遊技球は横断口６７４に流入する。同様に、揺動体６５２で振り分けられた遊技球は横断口６７６または横断口６７８に流入する。
【０１２２】
これまで説明した構成による遊技球の経路をまとめると、次のようになる。
まず、球入口６２６に入った遊技球は、受入通路６２８から外側通路６３０または内側通路６３２に流入する。内側通路６３２に入った遊技球は、出口６４６から導入路６７０を通って揺動体６５０上に落下する。
【０１２３】
揺動体６５０により左側に振り分けられた遊技球は、揺動体６５１による振分けによって、横断口６７２または横断口６７４に流入する。横断口６７２に流入した遊技球は、鉛直通路６５８を落下して腕状通路６８０上に放出される。横断口６７４に流入した遊技球は、後側放出路６３８により揺動体６５４に導かれ、ここで左右いずれかに振り分けられて落下する。
【０１２４】
揺動体６５０により右側に振り分けられた遊技球は、揺動体６５２による振分けによって、横断口６７６または横断口６７８に流入する。横断口６７６に流入した遊技球は、振分通路６６２によって揺動体６５３に導かれる。揺動体６５３によって左に振り分けられた遊技球は、後側放出路６３８により揺動体６５４に導かれ、ここで左右いずれかに振り分けられて落下する。揺動体６５３によって右に振り分けられた遊技球は、振分通路６６２から斜め下方に落下する。また、揺動体６５２によって右に振り分けられて横断口６７８に流入した遊技球は、放出通路６６４から斜め下方に落下する。
【０１２５】
受入通路６２８から外側通路６３０に入った遊技球は、前通路６３４または後通路６３６に流入する。前通路６３４入った遊技球は、横断部６３５の背面側を通って、反対側に至り、放出通路６６４から落下する。後通路６３６に流入した遊技球は、後通路６３６の下部が連通している鉛直通路６５８を通って腕状通路６８０上に放出される。
【０１２６】
次に、腕状通路６８０上に放出される遊技球及び放出通路６６４から放出される遊技球の進路に関わる構成を説明する。
図３５、３６、３９、４１〜４４に示すように、アタッチメント６０４の下部中央には、中央振分体６９０が配され、その左右には前側揺動体６９２と後側揺動体６９４が、それぞれ一対配されている。
【０１２７】
図４５に示すように、中央振分体６９０は、基板６９０ａの背後に設けられている軸受部６９０ｂを貫く軸ピン６９０ｃにより揺動自在に支持されている。図４３、４５に示すように、軸受部６９０ｂの左右下方には球受面６９０ｄが設けられている。また、図３６、４３、４４、４５に示すように、基板６９０ａの前面側には、一対の案内腕６９０ｅが突出している。案内腕６９０ｅ間には回転軸６９０ｆが横設されており、この回転軸６９０ｆは、互いに１２０度ピッチで配された３枚の羽根６９０ｇを有する回転体６９０ｈを回転自在に軸支している。さらに、図３６、４３、４４に示すように、半割円筒状の案内樋６９０ｊが案内腕６９０ｅの下端間に配されている。この案内樋６９０ｊには、基板６９０ａ側がわずかに高く先端側が低くなる傾斜が施されている。
【０１２８】
こうした構成により、中央振分体６９０は、例えば球受面６９０ｄや案内腕６９０ｅに接触する遊技球の荷重によって、軸ピン６９０ｃを中心として揺動し、羽根６９０ｇに遊技球が接触すると回転体６９０ｈが回転する。また、案内腕６９０ｅ間に流入した遊技球は、案内樋６９０ｊによって導かれ、その先端から落下する。
【０１２９】
対をなす前側揺動体６９２は互いに鏡像となる形状で、図４３に示すように、互いに対面して配された前板６９２ａ及び後板６９２ｂ、前板６９２ａと後板６９２ｂ間に配された横板６９２ｃ、横板６９２ｃの上端に連設された凹陥曲面の球受部６９２ｄ、前板６９２ａ及び後板６９２ｂの中心部に横設された軸受部６９２ｅを有し、軸受部６９２ｅを貫く軸ピン（図示略）により揺動自在に支持されている。なお、前側揺動体６９２の重心は軸よりも下側（球受部６９２ｄの反対側）にあり、通常は球受部６９２ｄを上にした状態となっている。また、後側揺動体６９４は、前側揺動体６９２と同様の形状であるので、説明を省略する。
【０１３０】
図３６、４３、４５に示すように、前側揺動体６９２は上端部を腕状通路６８０の先端に接触させて、上部を中央振分体６９０側に傾けた状態で組み付けられている。また、後側揺動体６９４も、図４５に示すように上端部を放出通路６６４の先端に接触させて、上部を中央振分体６９０側に傾けた状態で組み付けられている。
【０１３１】
図４５に示すように、前側揺動体６９２の球受部６９２ｄの幅Ａは腕状通路６８０の幅Ｂよりも小さく、しかも球受部６９２ｄの中心線と腕状通路６８０の中心線とは一致していない。このため、腕状通路６８０から離脱した遊技球は、球受部６９２ｄに載ることもあれば、後板６９２ｂに衝突して球受部６９２ｄに載らないこともある。後側揺動体６９４の球受部６９４ｄの幅と放出通路６６４の幅の関係、球受部６９４ｄの中心線と放出通路６６４の中心線との関係も、前側揺動体６９２と腕状通路６８０の場合と同様であり、放出通路６６４から放出される遊技球は、球受部６９４ｄに載ることもあれば載らないこともある。
【０１３２】
アタッチメント６０４内の遊技球の進路変化に関わる構造は以上の通りである。そして、図３６に示されるように、上述した構成を枠体６９６が取り囲んでいる。枠体６９６の下部は中央部に凹部６９８ａを有するステージ６９８となっており、ステージ６９８には左右両側が高く凹部６９８ａ側が低くなる傾斜と奥側が高く手前側が低くなる傾斜が施されており、ステージ６９８上に落下した遊技球の多くは、凹部６９８ａに向かって移動し、凹部６９８ａから手前に落下するが、ときには凹部６９８ａ以外から手前に落下するものもある。
【０１３３】
アタッチメント６０４は枠体６９６を支持枠６２０に嵌合させて本体部６０２と連結され、また図示しないビス等によって本体部６０２との連結を強固にされている。したがって、ビス等を取外して嵌合を解除すれば、アタッチメント６０４と本体部６０２とを分離できる。アタッチメント６０４を、例えば６インチや１０インチの可変表示装置の表示面に応じた寸法の窓を持つアタッチメントに交換すれば、センター役物６００の本体部６０２を取り換えなくても（すなわち遊技盤上の部品の配置を変更しなくても）、６インチや１０インチあるいはパノラマ型の可変表示装置をパチンコ機に装着することができる。
このセンター役物６００では、前述したように、球入口６２６に入った遊技球は、受入通路６２８から外側通路６３０または内側通路６３２への振り分け、外側通路６３０から前通路６３４または後通路６３６への振り分け、揺動体６５０〜６５４による振り分けによって、さまざまな進路とされるが、最終的には揺動体６５４で振り分けられて落下、振分通路６６２から落下、放出通路６６４から放出あるいは腕状通路６８０から放出される。
【０１３４】
揺動体６５４で振り分けられて落下した遊技球及び振分通路６６２から落下した遊技球は、そのままステージ６９８上に落ち、ステージ６９８上を転動して、ほとんどは凹部６９８ａから手前に落下するが、ときには凹部６９８ａ以外から手前に落下するものもある。
【０１３５】
放出通路６６４から放出される遊技球の多くは、後側揺動体６９４の球受部６９４ｄに載り、その荷重で後側揺動体６９４を中央振分体６９０側に倒し、それによって球受部６９４ｄが傾斜すると球受部６９４ｄから離脱して中央振分体６９０の球受面６９０ｄに衝突してこれを揺動させた後、ステージ６９８上に落下し、さらにステージ６９８から落下する。揺動させられた後側揺動体６９４は、遊技球の荷重が解除されると揺動前の状態に復帰する。中央振分体６９０は、徐々に揺動幅を小さくし、やがては停止する。
【０１３６】
また放出通路６６４から放出される遊技球のあるものは、例えば後板６９４ｂに衝突して球受部６９４ｄには載らずに、衝突の勢いだけで後側揺動体６９４を揺動させてステージ６９８に落下する。この際に、中央振分体６９０に接触してこれを揺動させるものもある。
【０１３７】
腕状通路６８０から放出される遊技球の多くは、前側揺動体６９２の球受部６９２ｄに載り、その荷重で前側揺動体６９２を中央振分体６９０側に倒し、それによって球受部６９２ｄが傾斜すると球受部６９２ｄから離脱して中央振分体６９０側に進む。そして、あるものは案内腕６９０ｅ間に進入して回転体６９０ｈを回転させながら落下する。その際、回転開始前の回転体６９０ｈの羽根６９０ｇの位置により、回転体６９０ｈの奥側から案内樋６９０ｊ上に落下する遊技球もあれば、回転体６９０ｈの手前側から落下する遊技球もある。また、腕状通路６８０から放出される際の勢い、球受部６９２ｄからの離脱方向、中央振分体６９０の揺動位置等の違いにより、案内腕６９０ｅ間に進入しないでステージ６９８上に落下するものもある。
【０１３８】
また、腕状通路６８０から放出される遊技球の中には、例えば後板６９２ｂに衝突して球受部６９２ｄには載らずに、衝突の勢いだけで前側揺動体６９２を揺動させてステージ６９８に落下したり、さらに中央振分体６９０に接触してこれを揺動させてからステージ６９８上に落下するものもある。
【０１３９】
このように、中央振分体６９０は衝突してくる遊技球によって揺動させられるので、腕状通路６８０から放出される遊技球の進路もさまざまとなる。そして、一部の遊技球が、案内樋６９０ｊ上を通ってその先端から落下する。案内樋６９０ｊは、中央振分体６９０の揺動位置によって若干変化はするが、案内樋６９０ｊ上の遊技球の荷重が中央振分体６９０を中立位置にさせる方向に作用するので、案内樋６９０ｊがほぼステージ６９８の中央部にあるときに、落下する可能性が高い。すなわち案内樋６９０ｊから落下した遊技球は、ほぼ凹部６９８ａの中央に落下し、さらに凹部６９８ａの中央部から手前に落下することになる。この凹部６９８ａの直下には、図１に示されるように始動入賞口１６が配されているので、凹部６９８ａから落下した遊技球、特に案内樋６９０ｊから落下して凹部６９８ａから落下した遊技球は、他の場所から落下した遊技球よりも始動入賞口１６に入賞する可能性が高いと言える。したがって、遊技者としては、センター役物６００内に入った遊技球がどのように進路を変化させられて、どこからステージ６９８上に出てくるかが大いに気になる。このように、センター役物６００の内部での遊技球の進路が複雑でセンター役物６００からの落下位置もさまざまになるので、遊技者を楽しませることができる。
【０１４０】
特に、複数の揺動体６５０〜６５４が組合されていて、遊技球が順次受け渡しされるので、遊技球の経路を多数、複雑に設定できる。
また、揺動体６５０〜６５４、前側揺動体６９２、後側揺動体６９４及び中央振分体６９０により、センター役物６００に流入した遊技球の進路を選択的に整えてセンター役物６００の外に放出するので、釘調整に頼ることなく、遊技者に有利な態様の発生頻度を抑制できる。
【０１４１】
また、揺動体６５０〜６５４、前側揺動体６９２、後側揺動体６９４及び中央振分体６９０は、遊技球の荷重によって駆動されるから、電気的な駆動源、駆動力を伝達するための機構、これらを制御する手段、これらの設置に要する空間等を必要としない。
【０１４２】
以上、いくつかの実施例等に従って、本発明の実施の形態について説明したが、本発明はこれらの例に限定されるものではなく、本発明の要旨を逸脱しない範囲でさまざまに実施できることは言うまでもない。
例えば、アタッチメント（裏部材）の取付は、嵌合やボルト（ビス）止め以外の手法、例えば弾性係合爪を用いる係合等によってもよい。
【図面の簡単な説明】
【図１】  実施例１のパチンコ機の正面図である。
【図２】  実施例１の遊技盤の正面図である。
【図３】  実施例１の遊技盤の各部の寸法を示す正面図である。
【図４】  実施例１の遊技盤の遊技領域の投影面積を示す正面図である。
【図５】  実施例１の可変表示装置の投影面積を示す正面図である。
【図６】  実施例１のセンター役物の斜視図である。
【図７】  実施例１のセンター役物の分解斜視図である。
【図８】  実施例１のセンター役物の裏部材の正面図である。
【図９】  実施例１のセンター役物の左右の飾部材の裏面を示す斜視図である。
【図１０】  実施例１のセンター役物の平面図である。
【図１１】  実施例１のセンター役物及び案内部の斜め上方から見た斜視図である。
【図１２】  実施例１のセンター役物及び案内部の斜め右側から見た斜視図である。
【図１３】  実施例１のセンター役物においてアタッチメント例１の裏部材を装着した際の斜視図である。
【図１４】  アタッチメント例１の裏部材の斜視図である。
【図１５】  アタッチメント例１の裏部材の正面図である。
【図１６】  実施例１のセンター役物においてアタッチメント例１の裏部材を装着した際の平面図である。
【図１７】  アタッチメント例２の裏部材の斜視図である。
【図１８】  アタッチメント例３の裏部材の正面図である。
【図１９】  アタッチメント例４の裏部材の斜視図である。
【図２０】  アタッチメント例５の裏部材の斜視図である。
【図２１】  実施例２のセンター役物の正面図である。
【図２２】  実施例２のセンター役物のアタッチメントの正面図である。
【図２３】  実施例２のセンター役物の別のアタッチメントの正面図である。
【図２４】  アタッチメント例７のアタッチメントの正面図である。
【図２５】  アタッチメント例７のアタッチメントの遊技球の移動経路を説明する部分斜視図である。
【図２６】  実施例３のアタッチメントの分解斜視図である。
【図２７】  実施例３のアタッチメントの斜視図である。
【図２８】  実施例３のアタッチメントの背面図である。
【図２９】  実施例３のアタッチメントの遊技球の移動経路を説明する一部破断斜視図である。
【図３０】  実施例３のアタッチメントの遊技球の移動経路を説明する一部破断斜視図である。
【図３１】  実施例３のアタッチメントの遊技球の移動経路を説明する一部破断斜視図である。
【図３２】  実施例４のセンター役物の斜視図である。
【図３３】  実施例４のセンター役物の図３２のＡ−Ａ線に沿った断面図である。
【図３４】  実施例４のセンター役物の打者人形の平面図である。
【図３５】  実施例５のセンター役物の正面図である。
【図３６】  実施例５のセンター役物の斜視図である。
【図３７】  実施例５のセンター役物の通路基板と支持基板の遊技球の通路の説明図である。
【図３８】  実施例５のセンター役物の層構造を説明する断面図である。
【図３９】  実施例５のセンター役物の通路基板の前面側の通路の説明図である。
【図４０】  実施例５のセンター役物に装着されている揺動体の構造の説明図である。
【図４１】  実施例５のセンター役物の第１通路層の遊技球の通路の説明図である。
【図４２】  実施例５のセンター役物の第２通路層の遊技球の通路の説明図である。
【図４３】  実施例５のセンター役物の中央振分体の周辺の構造を説明する部分斜視図である。
【図４４】  実施例５のセンター役物の中央振分体及び前側揺動体の揺動変位の説明図である。
【図４５】  実施例５のセンター役物の中央振分体の周辺の構造を説明する部分断面図である。
【符号の説明】
Ａ１…パチンコ機（弾球遊技機）、１…前面枠、２…風車、３…誘導レール、３ａ…第１レール部材、３ｂ…第２レール部材、３ｃ…返しゴム、３ｄ…装飾部材、３ｅ…逆流防止装置、４…遊技領域、５…可変表示装置、５ａ…液晶表示盤、５ｂ…表示面、６…ガラス枠、７、８、９、１０、１１、１７…入球検出センサ、１２…遊技盤、１３…取付穴、１４…センター役物、１５…アウト口、１６…始動入賞口、１８…大入賞口、２０…下部入賞装置、２２ａ、２２ｂ、２２ｃ、２２ｄ…普通入賞口、２４…本体部、２６…裏部材（アタッチメント）、２７…背板部、２８…ベース板、３０…中飾部材、３０ａ…仕切部、３２…左飾部材、３２ａ、３４ａ…球誘導面、３４…右飾部材、３６…誘導部材、３７…デジタル表示器、３８…天入球口、４０…球誘導路、４０ａ、４０ｂ…傾斜面、４２…球入口、４４…ワープ通路、４６…ステージ、４７…凹部、４８…球出口、５０…嵌合枠、５１…窓、５２…球衝突防止突起、５４…支持枠、５６…球通過口、５８…落下口、７０…裏部材（アタッチメント）、７１…裏部材、７２…背板部、７４…嵌合枠、７６…ステージ、７８…球入口、８０…表示窓、８２…流下溝、８３…流下溝、８４…誘導樋、８５…突出樋、８６…凹部、８９…液晶表示装置（可変表示装置）、９０…裏部材（アタッチメント）、９２…背板部、９４…嵌合枠、９６…ステージ、９８…球入口、１００…ワープ通路、１０２…球出口、１０４…表示窓、１０６…表示器、１２０…裏部材（アタッチメント）、１２２…液晶表示装置（可変表示装置）、１２４…背板部、１２６…球入口、１２８…嵌合凸部、１３０…液晶保持窓、１３２…流下溝、１４０…裏部材（アタッチメント）、１４２…液晶表示装置（可変表示装置）、１４４…背板部、１４６…球入口、１４８…嵌合凸部、１５０…液晶保持窓、１５２…球出口、
２００…センター役物、２０２…本体部（縁部材）、２０４…アタッチメント、２０６…液晶表示装置（可変表示装置）、２０８…デジタル表示器、２１０…球入口、２１２…中飾部材、２１４…左飾部材、２１６…右飾部材、２１８…導入部材、２２２…ステージ、２２４…球誘導部、２２６…凹部、２２８…表示窓、２３０…誘導樋（遊技球移動域）、２３２…カバー、２３３…窓、２３４…上側樋、２３６…下側樋、２３８…振分部材（進路変化部材）、２４０…回転体（進路変化部材）、２４２…保留部、２４４…受球穴、２４６…球出口、２４８…窓、２５０…背板部、２５２…球出口、３００…アタッチメント、３０２…背板部、３０４…球誘導樋、３０６…球出口、３０７…液晶表示装置（可変表示装置）、３０８…表示窓、
３１０…アタッチメント、３１２…背板部、３１３…パノラマ型表示盤（可変表示装置）、３１４…球誘導樋、３１６…分流通路、３１６ａ…第１スロープ、３１６ｂ…第２スロープ、３１８ａ、３１８ｂ…流出口、３２０…山部材、３２０ａ…緩傾斜面、３２０ｂ…溝、３２２…落下誘導路、３２４…出口、３２６…回転体（進路変化部材）、３２６ａ…受球穴、３２６ｂ…裏面穴、３２８…側面カバー、３３０…切欠、３３２…袋状通路、３３４…穴、３３６…内側傾斜路、３３６ａ…出口、３３８…外側傾斜路、３３８ａ…出口、
４００…アタッチメント、４０１…液晶表示装置（可変表示装置）、４０２…背板部材、４０３…表示面、４０４ａ、４０４ｂ…背面通路形成板、４０６ａ、４０６ｂ…バッフル、４０８ａ、４０８ｂ…ランプ、４１０…通路形成部材、４１２ａ、４１２ｂ…自由回転体（進路変化部材）、４１４…回転板（進路変化部材）、４１４ａ…突起、４１４ｂ…凹部、４１４ｃ…回転軸、４１５…カバー、４１６…モータ、４１６ａ…出力軸、４１８…モータ支持部材、４１８ａ…貫通孔、４２０…モータカバー、４２２…前面板、４２２ａ…左カバー部、４２２ｂ…右カバー部、４２２ｃ…中央部材、４２２ｄ、４２２ｅ、４２２ｆ…落下溝、４２４ａ、４２４ｂ…入口通路、４２６…表示窓、４２８ａ、４２３ｂ…背面通路口、４３０ａ、４３０ｂ…背面通路、４３２ａ、４３２ｂ…落下口、４３４ａ…前後仕切部、４３６ａ…間隔保持部、４３７ａ、４３７ｂ…軸ピン、４３８ａ、４３８ｂ…導入通路、４４０ａ、４４０ｂ…振分部、４４２ａ、４４２ｂ…外側通路、４４４ａ、４４４ｂ…内側通路、４４６ａ、４４６ｂ…筒状通路、４４８ａ、４４８ｂ…落下穴、４５０…連結部、４５２…中央板、
５００…センター役物、５０２…アタッチメント、５０４…本体部、５０６…遊技盤、５０８…始動入賞口、５３０…ベース板、５３２…中飾部材、５３４…左飾部材、５３６…右飾部材、５３７…支持枠、５３８…枠体、５４０…表示窓、５４２…ＣＲＴ表示装置（可変表示装置）、５４２ａ…表示面、５４４…表示盤、５４８…ＬＥＤ、５５０…下ステージ、５５１…前壁、５５２…上ステージ、５５４…凹部、５５６…傾斜部、５５８…端部、５６０…打者人形（進路変化部材）、５６１…駆動部、５６２…守備人形（進路変化部材）、５６３…駆動部、５６４…回転軸、５６６…バット部、５６８…移動穴、５７０…支柱、５７１…フェンス、５７２…ヒットゾーン、５７４…アウトゾーン、５７６…球出口、５７８…ヒットセンサ、５７９…球集合樋、５８０…広告エリア、５８２…観客人形、５８４…入球口、５８６…ワープ樋、５８８…球通過口、
６００…センター役物、６０２…本体部、６０４…アタッチメント、６０６…液晶表示装置（可変表示装置）、６０８…前飾部材、６１０…デジタル表示器、６１２…天入球口、６１６…球通過口、６１８…ベース板、６２０…支持枠、６２２…誘導路、６２４…通路基板、６２６…球入口、６２８…受入通路、６３０…外側通路、６３２…内側通路、６３３…第１振分ピン、６３４…前通路、６３５…横断部、６３６…後通路、６３７…第２振分ピン、６３８…後側放出路、６４０…支持基板、６４２…第１通路層、６４４…第２通路層、６４６…出口、６５０〜６５４…揺動体（進路変化部材）、６５０ａ…仕切、６５０ｂ…受面、６５０ｄ…可動側磁石、６５０ｅ…軸、６５０ｆ…固定側磁石、６５０ｇ…ストッパ、６５８…鉛直通路、６６０…横断口、６６２…振分通路、６６４…放出通路、６６６…振分部、６６８…導入口、６７０…導入路、６７２…横断口、６７４…横断口、６７６…横断口、６７８…横断口、６８０…腕状通路、６８２…導入路、６８６…振分部、６９０…中央振分体（進路変化部材）、６９０ａ…基板、６９０ｂ…軸受部、６９０ｃ…軸ピン、６９０ｄ…球受面、６９０ｅ…案内腕、６９０ｆ…回転軸、６９０ｇ…羽根、６９０ｈ…回転体、６９０ｊ…案内樋、６９２…前側揺動体（進路変化部材）、６９２ａ…前板、６９２ｂ…後板、６９２ｃ…横板、６９２ｄ…球受部、６９２ｅ…軸受部、６９４…後側揺動体（進路変化部材）、６９４ｂ…後板、６９４ｄ…球受部、６９６…枠体、６９８…ステージ、６９８ａ…凹部、７４０…発射ハンドル、７５０…案内部、７６０…流出規制部、７７０ａ，７７０ｂ…導入口。
【図１】
0004310760.tif 000002
【図２】
0004310760.tif 000003
【図３】
0004310760.tif 000004
【図４】
0004310760.tif 000005
【図５】
0004310760.tif 000006
【図６】
0004310760.tif 000007
【図７】
0004310760.tif 000008
【図８】
0004310760.tif 000009
【図９】
0004310760.tif 000010
【図１０】
0004310760.tif 000011
【図１１】
0004310760.tif 000012
【図１２】
0004310760.tif 000013
【図１３】
0004310760.tif 000014
【図１４】
0004310760.tif 000015
【図１５】
0004310760.tif 000016
【図１６】
0004310760.tif 000017
【図１７】
0004310760.tif 000018
【図１８】
0004310760.tif 000019
【図１９】
0004310760.tif 000020
【図２０】
0004310760.tif 000021
【図２１】
0004310760.tif 000022
【図２２】
0004310760.tif 000023
【図２３】
0004310760.tif 000024
【図２４】
0004310760.tif 000025
【図２５】
0004310760.tif 000026
【図２６】
0004310760.tif 000027
【図２７】
0004310760.tif 000028
【図２８】
0004310760.tif 000029
【図２９】
0004310760.tif 000030
【図３０】
0004310760.tif 000031
【図３１】
0004310760.tif 000032
【図３２】
0004310760.tif 000033
【図３３】
0004310760.tif 000034
【図３４】
0004310760.tif 000035
【図３５】
0004310760.tif 000036
【図３６】
0004310760.tif 000037
【図３７】
0004310760.tif 000038
【図３８】
0004310760.tif 000039
【図３９】
0004310760.tif 000040
【図４０】
0004310760.tif 000041
【図４１】
0004310760.tif 000042
【図４２】
0004310760.tif 000043
【図４３】
0004310760.tif 000044
【図４４】
0004310760.tif 000045
【図４５】
0004310760.tif 000046